【手続補正書】
【提出日】平成25年7月2日(2013.7.2)
【手続補正１】
【補正対象書類名】特許請求の範囲
【補正対象項目名】全文
【補正方法】変更
【補正の内容】
【特許請求の範囲】
【請求項１】
眼科装置であって、
該装置の光軸に対して非ゼロの第１角度で、第１光ビームが患者の眼の中に向くように構成された第１レーザであって、第１光ビームは、眼内のターゲット領域に向けて伝搬し、第１光ビームの一部がターゲット領域によって散乱されるようにした第１レーザと、
ターゲット領域によって散乱された光を受光するように位置決めされ、該装置の光軸を定義する結像光学系と、
結像光学系によりターゲット領域からの散乱光が向けられる光検知素子と、
光検知素子によって受光された光に少なくとも部分的に基づいて、眼の角膜と眼内のターゲット領域との間の距離を決定するように構成されたプロセッサとを備える眼科装置。
【請求項２】
プロセッサは、眼の角膜表面と眼内のターゲット領域との間の距離を決定するように構成される請求項１記載の眼科装置。
【請求項３】
プロセッサは、装置の光軸が角膜と交差する角膜上の場所と、眼内のターゲット領域との間の距離を決定するように構成される請求項１記載の眼科装置。
【請求項４】
ターゲット領域は、眼のカプセル嚢の後壁を含む請求項１記載の眼科装置。
【請求項５】
ターゲット領域は、無水晶体眼のカプセル嚢の後壁を含む請求項１記載の眼科装置。
【請求項６】
ターゲット領域は、無水晶体眼のカプセル嚢の前側表面を含む請求項１記載の眼科装置。
【請求項７】
装置の光軸は、眼の視軸とほぼ同じ場所で、眼の角膜表面と交差する請求項１記載の眼科装置。
【請求項８】
装置の光軸は、眼の視軸とほぼ同一直線上である請求項７記載の眼科装置。
【請求項９】
装置の光軸に対して非ゼロの第２角度で、第２光ビームが患者の眼の中に向くように配向した第２レーザであって、第２光ビームは、眼内のターゲット領域に向けて伝搬し、第２光ビームの一部がターゲット領域によって散乱されるようにした第２レーザをさらに備え、
ターゲット領域によって散乱した第１光ビームの一部は、光検知素子上に第１ターゲットスポットを形成し、ターゲット領域によって散乱した第２光ビームの一部は、光検知素子上に第２ターゲットスポットを形成し、
プロセッサは、第１および第２ターゲットスポットの位置に少なくとも部分的に基づいて、眼の角膜と眼内のターゲット領域との間の距離を計算するように構成される請求項１記載の眼科装置。
【請求項１０】
プロセッサは、第１および第２スポットの間の距離に少なくとも部分的に基づいて、眼の角膜と眼内のターゲット領域との間の距離を計算するように構成される請求項９記載の眼科装置。
【請求項１１】
第１および第２レーザは、第１および第２光ビームの両方が、ほぼ眼の角膜表面上の場所で眼に入るように配向しており、第１および第２光ビームの一部が角膜表面で散乱して光検知素子で受光され、
角膜表面で散乱した第１光ビームの一部は、光検知素子上に第１中心スポットを形成し、角膜表面で散乱した第２光ビームの一部は、光検知素子上に第２中心スポットを形成し、
装置が所定の位置に位置決めされた場合、第１および第２中心スポットはほぼ重なるようにした請求項９記載の眼科装置。
【請求項１２】
第１および第２レーザは、装置の光軸の両側に位置決めされる請求項９記載の眼科装置。
【請求項１３】
第１および第２レーザは、装置の光軸からほぼ等距離で離れている請求項１２記載の眼科装置。
【請求項１４】
非ゼロの第１および第２角度は、ほぼ等しい値を有し、装置の光軸からほぼ反対方向に延びている請求項１３記載の眼科装置。
【請求項１５】
第１レーザは、第１光ビームが眼の角膜表面を通って眼に入るように配向しており、
第１光ビームの一部が角膜表面で散乱して結像光学系によって受光され、角膜表面で散乱した第１光ビームの一部は、光検知素子上に基準スポットを形成し、ターゲット領域によって散乱した第１光ビームの一部は、光検知素子上にターゲットスポットを形成し、
プロセッサは、基準スポットに対するターゲットスポットの位置に少なくとも部分的に基づいて、眼の角膜と眼内のターゲット領域との間の距離を計算するように構成される請求項１記載の眼科装置。
【請求項１６】
眼に対して所定の位置に、装置を位置決めするためのアライメントシステムをさらに備える請求項１記載の眼科装置。
【請求項１７】
第１光ビームは、眼の角膜表面の中心で眼に入るようにした請求項１６記載の眼科装置。
【請求項１８】
非ゼロの角度は、約１０度〜約２０度である請求項１記載の眼科装置。
【請求項１９】
手術用顕微鏡をさらに備える請求項１記載の眼科装置。
【請求項２０】
波面収差計をさらに備える請求項１記載の眼科装置。
【請求項２１】
波面収差計は、タルボット−モアレ干渉計を含む請求項２０記載の眼科装置。
【請求項２２】
眼の中に移植される眼内レンズについて光学パワーを決定する方法であって、
レーザを用いて、眼の第１および第２選択部分の間の距離を含む、眼の術中特性を測定することと、
測定した術中特性に少なくとも部分的に基づいて、眼内レンズの光学パワーを決定することとを含む方法。
【請求項２３】
眼は、無水晶体眼である請求項２２記載の方法。
【請求項２４】
術中特性は、眼の角膜から、無水晶体眼のカプセル嚢の後壁までの距離を含む請求項２３記載の方法。
【請求項２５】
眼内レンズについて光学パワーを決定することは、
角膜からカプセル嚢の後壁までの測定した距離に少なくとも部分的に基づいて、眼内レンズの予測される術後レンズ位置を決定することと、
予測される術後レンズ位置に少なくとも部分的に基づいて、眼内レンズの光学パワーを計算することとを含む請求項２４記載の方法。
【請求項２６】
無水晶体眼の屈折パワーを測定することと、
無水晶体眼の屈折パワーに少なくとも部分的に基づいて、眼内レンズの光学パワーを決定することとを含む請求項２２記載の方法。
【請求項２７】
眼科装置を使用する方法であって、
眼科装置を患者の眼に対して所定の位置に位置決めして、装置の光軸を眼の角膜と交差させることと、
装置の光軸周りに位置決めされた１つ又はそれ以上のレーザからの光を眼の中に向けて、１つ又はそれ以上のレーザからの光の一部が、眼内のターゲット領域によって散乱されるようにすることと、
光軸を規定する結像光学系を用いて、ターゲット領域によって散乱した光の一部を光検知素子へ向けることと、
ターゲット領域によって散乱した個々の１つ又はそれ以上のレーザからの光に対応している１つ又はそれ以上のターゲットスポットを光検知素子上に形成することと、
１つ又はそれ以上のターゲットスポットの位置に少なくとも部分的に基づいて、眼の角膜とターゲット領域との間の距離を計算することとを含む方法。
【請求項２８】
装置の光軸は、眼の視軸とほぼ同一直線上である請求項２７記載の方法。
【請求項２９】
１つ又はそれ以上のレーザからの光は、角膜表面において同じ場所で眼に入るようにした請求項２７記載の方法。
【請求項３０】
１つ又はそれ以上のレーザからの光は、装置の光軸に対して非ゼロの角度で眼に入るようにした請求項２７記載の方法。
【請求項３１】
１つ又はそれ以上のレーザからの光は、眼の視軸に対して非ゼロの角度で眼に入るようにした請求項２７記載の方法。
【請求項３２】
眼は、無水晶体眼である請求項２７記載の方法。
【請求項３３】
ターゲット領域は、眼のカプセル嚢の後壁である請求項２７記載の方法。